(57)【特許請求の範囲】
【請求項１】
衣料品を完全に内包する第１の状態である格納状態と前記衣料品を取り出せる第２の状態である展開状態のために、選択的に、着脱可能に互いに係合する第１、第２の筐体部材と、前記両筺体部材の少なくとも一方に付加された少なくとも１つの入れ子式延長部材と、
前記筐体部材の一方に付加された雄型案内柱を収納可能な雌型接続部とを有する筺体を有し、
前記入れ子式延長部材は前記第１、第２の筐体部材内に実装され、前記筐体が前記第１の状態である格納状態であるときに完全に前記筐体内に内包されるものであって、
前記入れ子式延長部材は、前記筐体が前記第１の状態である格納状態であるとき、前記筐体内で少なくとも1つのハンガーで前記衣料品を吊り下げるように前記筐体の上端に位置するように配置され、
前記入れ子式延長部材は前記両筺体部材が互いに係合した際に前記両筐体部材の間で最小とされ且つ前記両筺体部材が分離した際に最大とされる構造を有し、
前記入れ子式延長部材は、さらに、最大のときに前記衣料品を架けて支持する構造を有し、前記筐体が第２の状態である展開状態であるとき、複数の前記衣料品は前記入れ子式延長部材上に架けられた状態が維持され、前記筐体外から取り出し可能であることを特徴とする衣料品の格納及び取出用携帯装置。
【請求項２】
請求項１記載の携帯装置であって、前記延長部材は前記第２の筺体部材の取付位置に固定されるものであって、
前記取付位置は、前記筐体部材の長手方向を鉛直方向としたとき、１つの前記筐体部材の上側頂上部分に沿った中央に位置することを特徴とする携帯装置。
【請求項３】
請求項１記載の携帯装置であって、前記筐体部材の長手方向を鉛直方向としたとき、第２の延長部材が前記両筺体部材の一方の下側底部分に付加されることを特徴とする携帯装置。
【請求項４】
請求項１記載の携帯装置であって、第２の延長部材が前記両筺体部材の一方に付加され、該第２の延長部材は前記第２の筺体部材に固定されることを特徴とする携帯装置。
【請求項５】
請求項１記載の携帯装置であって、前記延長部材は前記両筺体部材の一方のみに取り付けられ、前記入れ子式延長部材を支持するために車輪に取り付けられた垂直部材を含むことを特徴とする携帯装置。
【請求項６】
請求項１記載の携帯装置であって、さらに、第２の延長部材が前記両筺体部材の一方に付加され、該第２の延長部材は前記延長部材に接続部で固定され、該接続部は第３の延長部材に機械的に接続されることを特徴とする携帯装置。
【請求項７】
衣料品を完全に内包する第１の状態である格納状態と前記衣料品を取り出せる第２の状態である展開状態のために、選択的に、蝶番式的に互いに係合する第１、第２の筐体部材と、前記両筺体部材の少なくとも一方に付加された少なくとも１つの入れ子式延長部材と、
前記筐体部材の一方に付加された雄型案内柱を収納可能な雌型接続部とを有する筺体を有し、
前記入れ子式延長部材は前記両筐体部材内に実装され、前記筐体が前記第１の状態である格納状態であるときに完全に前記筐体内に内包されるものであって、
前記入れ子式延長部材は、前記筐体が前記第１の状態である格納状態であるとき、前記筐体内で少なくとも1つのハンガーで前記衣料品を吊り下げるように前記筐体の上端に位置するよう配置され、
前記入れ子式延長部材は前記両筺体部材が互いに係合した際に前記両筐体部材の間で最小とされ且つ前記両筺体部材が分離した際に最大とされる構造を有し、
前記入れ子式延長部材は、さらに、最大のときに前記衣料品を架けて支持する構造を有し、前記筐体が第２の状態である展開状態であるとき、複数の前記衣料品は前記入れ子式延長部材上に架けられた状態が維持され、前記筐体外から取り出し可能であることを特徴とする衣料品の格納及び取出用携帯装置。
【請求項８】
衣料品を格納するための格納領域を定義するために選択的に、着脱可能に協調する第１、第２の筐体部材を含む筐体を提供する工程と、
前記両筐体部材の少なくとも一方に実装され、前記衣料品を架けるための第１の入れ子式延長部材を前記筐体部材の上端に位置するように配置する工程と、
前記筐体内において定義された前記格納領域を利用するために前記第２の筐体部材から前記第１の筐体部材を分離する工程と、
前記入れ子式延長部材上に少なくとも1つのハンガーを介して前記衣料品を架ける工程と、
前記筐体部材の一方に付加された雄型案内柱を雌型接続部に収納することにより、前記筐体部材が協調して係合するとともに前記入れ子式延長部材が短縮するまで前記第１、第２の筐体部材を互いに動かし閉じる工程とを備え、
前記衣料品及び前記入れ子式延長部材は前記筐体内に完全に包含されるとともに、前記衣料品は前記入れ子式延長部材上に架けたままの状態であることを特徴とする衣料品の格納方法。
【請求項９】
請求項８に記載の衣料品の格納方法であって、前記入れ子式延長部材は前記両筐体部材のそれぞれに取り付けられ、前記第２の筐体部材から前記第１の筐体部材の分離は、前記入れ子式延長部材を外見上伸縮させることを特徴とする衣料品の格納方法。
【請求項１０】
請求項８に記載の衣料品の格納方法であって、前記第２の筐体部材から前記第１の筐体部材の分離の際に、前記入れ子式延長部材は、第２の終端において、前記入れ子式延長部材の水平位置を支持する垂直部材によって車輪に取り付けられることを特徴とする衣料品の格納方法。
【請求項１１】
請求項８に記載の衣料品の格納方法であって、さらに、複数の貯蔵ポケットと前記第１の筐体部材上のファスナーと協調するファスナーとを有する洗濯袋を提供する工程と、
前記洗濯袋と前記第１の筐体部材の間で前記入れ子式延長部材上に前記衣料品を載置する工程と、
前記第１の筐体部材と前記第２の筐体部材とを共に圧縮する前に、前記第１の筐体部材上のファスナーにそれぞれの前記洗濯袋のファスナーを取り付けることにより前記洗濯袋と前記第１の筐体部材との間の前記衣料品を固定することを特徴とする衣料品の格納方法。
【請求項１２】
請求項１１に記載の衣料品の格納方法であって、前記ファスナーはベルトであることを特徴とする衣料品の格納方法。
【請求項１３】
請求項８に記載の衣料品の格納方法であって、さらに、前記筐体の下端にバスケットを備えることを特徴とする衣料品の格納方法。
【請求項１４】
請求項８に記載の衣料品の格納方法であって、さらに、前記第１の筐体部材と前記第２の筐体部材との間に蝶番を提供する工程を備え、前記筐体部材としての前記第１の筐体部材に相対する第２の筐体部材の旋回軸は互いに離れていることを特徴とする衣料品の格納方法。
【請求項１５】
請求項１４に記載の衣料品の格納方法であって、さらに、前記筐体部材がお互いに分離する際に、前記入れ子式延長部材を支持するために車輪に取り付けられた垂直部材を有する前記入れ子式延長部材を提供する工程とを備えることを特徴とする衣料品の格納方法。
【請求項１６】
請求項１４に記載の衣料品の格納方法であって、さらに、前記第１、第２の筐体部材のそれぞれに入れ子式延長部材を設ける工程を備え、前記入れ子式延長部材は末端部分においてそれぞれ接続され、さらに支持する垂直の入れ子式延長部材に接続されることを特徴とする衣料品の格納方法。
【請求項１７】
請求項８に記載の衣料品の格納方法であって、前記入れ子式延長部材は油圧式、気圧式、及び機械的なギアドライブのグループの１つによって延長及び短縮がなされることを特徴とする衣料品の格納方法。
【発明の詳細な説明】
【技術分野】
【０００１】
本発明は複数の筺体部材と出し入れ開口部を有する収納装置に関する。
【背景技術】
【０００２】
開示される本発明に先んじて、利用者は、収納器内に物品を配したり収納器からそれらの物品を取り除くことで旅行用の荷を梱包し、或いは荷を解く必要があった。収納器の構造部材の構成は、収納器への物品の挿入及び取り出しを、以下に示すように、不要な時間消費で煩雑なものとしていた。本発明は荷を梱包し解く必要性と、このようなことをすることで消費される時間を省くものである。
【発明の概要】
【発明が解決しようとする課題】
【０００３】
簡潔に従来技術に戻ると、フォーティアー（Fortier）による米国特許出願  第２０１０／０１１７４９９号（Ａ１）は、入れ子式の格納装置を教示する。この装置は、入れ子式の棒部材に互いに重なった一連の棚を有する。延長部材の目的は、不使用時に装置を持ち運びできるようにするものである。これは、延長部材が伸張若しくは収縮しているのに拘わらず該延長部材上の衣料品を輸送する本発明とは、余り関連するものではない。フォーティアーは、伸張した位置だけでの物の輸送を教示する。
【０００４】
トラッカー（Trucker）に与えられた米国特許第２，４７６，９３２号は、分割された繊維状の区分を有する旅行ケースを教示する。該装置は、分割された繊維状の区分に被われた外套掛け部を有する。しかし、これは延長部材について教示することはなく、むしろ装置全体は固定した構造を有し、第二次世界大戦のころに存在していた問題で、開示される本発明が今解決しようとする問題に熟した問題を単に解決するに過ぎない。
【０００５】
ジャクソン（Jackson）に与えられた米国特許第７，６０７，５３５号は、伸張し得る衣料品吊るし機構を備えた衣料品収納器を教示する。基本的には、利用者は１つの手荷物から衣料品ハンガーを引き上げることができる。本発明は、当該延長部材が伸張していようと収縮していようと衣料品を運ぶことができる延長部材を教示するものである。もしジャクソンがその装置を収縮させたなら、衣料品は床に落ちてしまうだろう。
【課題を解決するための手段】
【０００６】
本発明は衣料品の格納及び取出用携帯装置を教示する。その携帯装置は、着脱可能に互いに係合し選択的に当該筺体を開閉自在とする少なくとも第１、第２の筺体部材と、及び前記両筺体部材の一方に付加された少なくとも１つの入れ子式の延長部材とを有する筺体を有する。前記延長部材は前記両筺体部材が互いに係合した際に最小とされ且つ前記両筺体部材が分離した際に最大とされる構造を有する。前記延長部材は、さらに、前記両筺体部材が移動用に係合されるときに複数の衣料品を取り除かずに済むように、最小若しくは最大においても、該複数の衣料品を支持したままとする方法で該複数の衣料品を支持する構造を有する。
【図面の簡単な説明】
【０００７】
本発明は一般用語でこのように説明されるものであるが、縮尺によって引く必要のないところの、添付図面を参照するものであり、それらは次のものとされる。
【図１】収縮状態で描かれた本発明の実施形態の斜視図である。
【図２】伸張状態で描かれた本発明の実施形態の斜視図である。
【図３】伸張状態で描かれた本発明の実施形態の斜視図である。
【図４】伸張状態で描かれた本発明の他の実施形態の斜視図である。
【図５】伸張状態で描かれた本発明の他の実施形態の斜視図である。
【図６】伸張状態で描かれた本発明の他の実施形態の斜視図である。
【図７】洗濯物袋のみの正面図である。
【図８】洗濯物袋のみの側面図である。
【図９】本発明の概略図である。
【図１０】本発明のベルト軌道システム日よけの斜視図である。
【図１１】閉位置で描かれた本発明の係止め式延長部材の部分図である。
【図１２】伸張位置で描かれた本発明の係止め式延長部材の部分図である。
【図１３】閉位置で示された、内部ばねと出没可能なスプールに接続される内部ワイヤを有する延長部材の部分図である。
【図１４】伸張位置で示された、内部ばねと出没可能なスプールに接続される内部ワイヤを有する延長部材の部分図である。
【図１５】伸張構成で描かれた、車軸の垂直スロットとトラックを有する延長部材の正面図である。
【図１６】伸張構成で描かれた、車軸の垂直スロットとトラックを有する延長部材の側面図である。
【図１７】伸張構成で描かれた、車軸の垂直スロットとトラックを有する延長部材の側面図である。
【図１８】内側玉軸受補助入れ子式棒部材の玉軸受リングの本発明の上面図である。
【図１９】外側玉軸受補助入れ子式棒部材の玉軸受リングの本発明の上面図である。
【図２０】玉軸受補助入れ子式棒部材の本発明の斜視図である。
【図２１】本発明の他の実施形態の斜視図である。
【図２２】本発明の他の実施形態の斜視図である。
【発明を実施するための形態】
【０００８】
本発明の実施形態は、旅行時に荷を梱包したり解いたりするのに伴う障害の多くを打開するものであり、請求項にかかる発明の実施形態の全てではないがいくらかを示す添付図面を参照して以下にさらに十分に説明される。本発明は多くの異なる形式で具現化され得るが、ここに説明される実施形態に限定されると解釈すべきではない。むしろこれらの実施形態は、本開示が適用される法的要件を満たすように提供されるものである。同様の番号は通しで同様の部材について言及する。
【０００９】
数多くの方法で延長部材と共に構成できる複数の携帯収納器がある。以下の構成は単なる例示である。例示の方法により、図９は装置組み立ての数多くの可能性についての可能な流れ図を提供する。利用者は、分離若しくは割れる完全に分離される収納器（図１、図２、図３、図４、図５、図６）、蝶番型収納器（図２１、図２２）、ドア若しくは完全に取り外せる収納器ドアを有する収納器のいずれかとなる収納器を作成できる。これらの収納器は、床材、伸張できる天板、伸張できるドア、伸張できる壁、アーム部、指把持部、袋体、ベルト軌道装置、プーリー、予め梱包され嵌め込まれた要素、及びスライドトラックを有して組み立てることができる。さらに、携帯収納器は要素と共に組み立てることができる。これらの収納器の共通の主題は、少なくとも１つの延長部材を有し、それは以下の実施形態でより詳細に説明される。
【００１０】
図１及び図２は筺体を有する携帯収納器を示す。筺体は、入れ子式棒部材１０によって分離可能に係合する第１の筺体部材２０と第２の筺体部材３０を有する。ここで入れ子式棒部材１０は第１の筺体部材２０と第２の筺体部材３０に取り付けられる。本実施形態において、入れ子式棒部材１０は延長部材である。この構造において、入れ子式棒部材１０は（図１に示すように）両筺体部材が互いに係合した際に最小とされ、（図２に示すように）両筺体部材が離された際に最大とされる。入れ子式棒部材１０は頑丈で複数のハンガー１４を支持するのに十分な強さの材料で形成されるものであり、該ハンガーは複数の衣料品をさらに含む。
【００１１】
第２の筺体部材３０は、機械的に雌型接続部１８に接続され、該雌型接続部１８は（図３に示すように）雄型案内柱１６を収納できる。第２の筺体部材３０はさらにポケット２６に機械的に接続され、該ポケット２６は追加の物品を収納できる。ロック１００は係合して携帯収納器をしっかりと締めることができる。さらに、ロック１００は、利用者の好みに応じて雄型案内柱１６や雌型接続部１８に組み込むことも可能である。
【００１２】
図３は筺体を有する携帯収納器を示す。ここでは、第２の入れ子式棒部材１０が第１の筺体部材２０と第２の筺体部材３０に取り付けられる。第１の筺体部材２０はバスケット３２に機械的に接続され、該バスケット３２は追加の物品を収納できる。帯体２４がさらに機械的にバックル３４に接続され、該バックル３４は移動時の衣料品１２をしっかりと締めるように用いられる。
【００１３】
図４、図５、及び図６は延長部材の代替的な実施形態を示す。ここで、第１の入れ子式トラック２８は第１の筺体部材２０と第２の筺体部材３０に取り付けられる。上述のように、第２の筺体部材３０は機械的に雌型接続部１８に接続され、該雌型接続部１８は雄型案内柱１６を収納できる。第２の筺体部材３０はさらにポケット２６に機械的に接続され、該ポケット２６は追加の物品を収納できる。ロック１００は係合して携帯収納器をしっかりと締めることができる。第１の筺体部材２０機械的にバスケット３２と接続され、該バスケット３２は物品が筺体部材の係合を邪魔することを防止する。入れ子式トラック２８を用いた際には、第２の筺体部材でバスケット３２内に入れ子式トラック２８を覆うことが最良である。帯体２４はさらに機械的にバックル３４に接続され、該バックル３４は移動時の衣料品１２をしっかりと締めるように用いられる。
【００１４】
本構造は、例示的であって、入れ子式トラック２８に加えて入れ子式の他の延長部材、例えば、円柱状延長部材や螺旋式延長部材などの他の形状も利用できる。
【００１５】
図２１は延長部材の代替の実施形態を示す。ここで、延長部材は第２の棒部材近傍の入れ子式棒部材１０であり、第２の棒部材はスプリング収納スリーブ１０２を有する。スプリング収納スリーブ１０２は機械的にスプリング８８を伴う車輪に接続される。衣料品１２はハンガー１４によって入れ子式棒部材１０に架けられて、帯体９８によって蝶番式収納器９０に締めて取り付けられ、該帯体９８は上述のような帯体２４に類似の構造の図示しない接続部を更に有する。蝶番式収納部９０は蝶番によって第２の筺体部材に機械的に接続される第１の筺体部材を有する。
【００１６】
図２２は延長部材の代替の実施形態を示す。ここで、延長部材は第１の棒部材１０である。第１の入れ子式棒部材１０は設置されたボールジョイント９４に機械的に接続される。ボールジョイント９４は第２の入れ子式棒部材１０と垂直部材に取り付けられる。ここで垂直部材はロック可能な入れ子式棒部材９６である。ボールジョイント９４はこの目的を達成するための接続部材の一例であるが、回動できる他のデバイスであっても十分である。この構成において、第２の入れ子式棒部材１０は第２の延長部材であり、ロック可能な入れ子式棒部材９６は第３の延長部材である。ロック可能な入れ子式棒部材９６は表面まで下げることができ、第１の入れ子式棒部材１０と第２の入れ子式棒部材１０上のハンガー１４に架けられた衣料品１２を支持するように用いることができる。あるいは、ロック可能な入れ子式棒部材９６と共に、利用者はループ９２に支持することができ、蝶番式収納部９０から離れてボールジョイント９４を支持し或いは延長させたりする。この方法で、第１の入れ子式棒部材１０と第２の入れ子式棒部材１０から吊り下げられた衣料品１２を支持したままに、筺体から第１の入れ子式棒部材１０と第２の入れ子式棒部材１０を離して延長させることができる。蝶番式収納部９０は蝶番により第２の筺体部材に機械的に接続される第１の筺体部材を有する。
【００１７】
図１、図２、図３、図４、図５、図６、図２１及び図２２に示されるデバイスは図７及び図８に示すように汚れものを貯めるための洗濯袋３６を使用することができる。洗濯袋３６はきれいな衣料品１２を洗濯が必要な衣料品１２と隔離するのに使用される。洗濯袋３６は洗濯袋ジッパー３８により出し入れ可能とされ、洗濯袋ポケット４０に機械的に接続される。洗濯袋３６は、ハンガー１４によって延長部材に架けられる。洗濯袋３６は一時的に筺体部材３０にフックと、ループファスナー、スナップ、ジッパー、ボタン、その他の知られた方法を介して接続されて衣料品１２をハンガー１４上に架けて維持するものとされ、該ハンガー１４は帯体３４若しくは帯体９８に接続された筺体部材に隣接した入れ子式棒部材１０若しくは入れ子式トラック２８の上に配される。
【００１８】
延長部材は、ドッキングポート要素（図１１、図１２）を利用したり、出没するスプール（図１３、図１４）の如き回転要素を利用したり、入れ子式棒部材（図１８、図１９、図２０）を利用したり、入れ子式トラック（図１５、図１６、図１７）を利用したりする多数の方法で構成できる。
【００１９】
当然ながら、これらの構成は例示的であり、追加の延長部材、例えば、螺旋式の延長部材や、気圧式の延長部材や、油圧式の延長部材を用いることも可能である。
【００２０】
図１１、図１２はドッキングポート６０を示す。この例においては、入れ子式棒部材１０はメディアボール６４をドッキングポート６０に挿入することで、その動作を停止して延長された位置にロックされる。いくつかの実施形態では、メディアボール６４はドッキングポート６５の弾性バンド６２の中に引き入れられる。
【００２１】
図１３、図１４では、種々の延長部材が説明される。出没可能なスプール６６は、ワイヤ６８を含む巻回コード７４に機械的に接続されるスプリング７２を有する。出没可能なスプール６６はスロット７０を有する。アーム７６はスロット７０から突出している。いくつかの実施形態では、アーム７６はＬ字状であり、ワイヤ６８は金属で形成されるワイヤよりむしろ所定の材料で形成されるコードであっても良い。
【００２２】
図１５、図１６、図１７では、第１の棒部材４８は第１のＵ字状トラック４２上を摺動し、第２の棒部材５０は第２のＵ字状トラック４４上を摺動し、第３の棒部材５２はＵ字状トラック４６上を摺動する。使用においては、図示しないいくつかの引き出しを第１の棒部材４８、第２の棒部材５０、第３の棒部材５２の上に配される。
【００２３】
図１８はボールベアリングリング８０と筺体を介して突出する筺体ボールベアリング８４を示す。ボールベアリングリング８０は内部の入れ子式棒部材の外側に機械的に接続される。
【００２４】
図１９はリング８２と筺体を介して突出する筺体ボールベアリング７８を示す。ボールベアリングリング８２は外側入れ子式棒部材の内側に外側入れ子式棒部材の端部で機械的に接続される。
【００２５】
図２０はボールベアリング支援の入れ子式棒部材を示す。図２０は内部棒部材の外側に機械的に接続されるボールベアリングリング８４を備えた内部棒部材を示す。いくつかの実施形態においては、ボールベアリングリング８４は内部棒部材の外側に熔着される。図２０はまた外部棒部材の端部でその内側に機械的に接続されるボールベアリングリング７８を備えた外部棒部材も示す。
【００２６】
図２０はボールベアリングリング７８とボールベアリングリング８４の衝突を示す。この衝突は、外側棒部材の内側を移動する内側棒部材の動作を止め、その動きを止めるだけではなく、内側棒部材と外側棒部材が離れるのを防止する。ボールベアリングリング７８と衝突する第１のボールベアリングリング８４に相対する第２のボールベアリングリング８４の位置は支点として作用し、内側棒部材と外側棒部材が撓むのを防止する。図１８、図１９、図２０に示すボールベアリング支援の入れ子式棒部材は、内側棒部材が外側棒部材に対して円滑に滑って、外側棒部材が内側棒部材に対して円滑に滑るように、ボールベアリングの表面の摩擦を制限する。
【００２７】
図９に示すように、図１０に説明される巻いたビニール５６を備えた携帯収納器に加えられる追加の部品の組み合わせも可能である。図１０は巻いたビニール５６を示す。巻いたビニール５６はぶら下がるビニール５８を出すために解いても良い。利用者は巻いたビニール５６を利用してハンガー１４上の衣料品１２を覆うことができる。
【産業上の利用可能性】
【００２８】
分離され若しくは別れて完全に分離する収納器は、個人のものを収納できることから、産業上の利用可能性を有する。
【００２９】
蝶番型の収納器は、個人のものを収納できることから、産業上の利用可能性を有する。
【図１】
0006094001.tif 000002
【図２】
0006094001.tif 000003
【図３】
0006094001.tif 000004
【図４】
0006094001.tif 000005
【図５】
0006094001.tif 000006
【図６】
0006094001.tif 000007
【図７】
0006094001.tif 000008
【図８】
0006094001.tif 000009
【図９】
0006094001.tif 000010
【図１０】
0006094001.tif 000011
【図１１】
0006094001.tif 000012
【図１２】
0006094001.tif 000013
【図１３】
0006094001.tif 000014
【図１４】
0006094001.tif 000015
【図１５】
0006094001.tif 000016
【図１６】
0006094001.tif 000017
【図１７】
0006094001.tif 000018
【図１８】
0006094001.tif 000019
【図１９】
0006094001.tif 000020
【図２０】
0006094001.tif 000021
【図２１】
0006094001.tif 000022
【図２２】
0006094001.tif 000023